(57)【要約】【課題】異なる接続式のコネクタに接続保持可能な利便性の高いコネクタを提供すること。【解決手段】コネクタが、第１方向に延びかつ第１方向まわりに相互に間隔を空けて配置されていると共に、第１方向に交差する第２方向でかつコネクタ本体から離れる方向に弾性変形可能な複数の爪部を有する係止部材と、係止部材を第１方向まわりに取り囲む筒形状で、その内面における第１方向でかつ接続部に近い方の端部に設けられたねじ溝部を有する保持部材とを備える。保持部材は、第１の相手側コネクタの被係止部に係止された状態の係止部材を保持する保持位置と、係止部材に対する保持を解除すると共に、第２の相手側コネクタのねじ山部をねじ溝部に嵌合可能な保持解除位置との間をコネクタ本体に対して回転可能に構成されている。【選択図】図１
2020149783.tif 000002
【特許請求の範囲】
【請求項１】
第１方向に沿って接続された第１の相手側コネクタに対して係止保持可能な、または、前記第１方向に沿って接続された第２の相手側コネクタに対して嵌合保持可能なコネクタにおいて、
前記第１方向に沿って延びると共に、前記第１方向の第１端部に設けられて前記第１の相手側コネクタおよび前記第２の相手側コネクタと接続可能な接続部を有するコネクタ本体と、
前記コネクタ本体の前記第１端部の前記第１方向まわりに配置され、前記接続部に前記第１の相手側コネクタが接続された接続状態で、前記第１の相手側コネクタの被係止部に前記第１方向において係止可能な係止部材と、
前記係止部材を前記第１方向まわりに取り囲む筒状を有し、その内面における前記第１方向でかつ前記第１端部に近い方の端部に、前記接続部に前記第２の相手側コネクタが接続された接続状態で前記第２の相手側コネクタのねじ山部に嵌合可能なねじ溝部が設けられていると共に、前記コネクタ本体に対して前記第１方向まわりに回転可能な保持部材と
を備え、
前記係止部材が、
前記第１方向に延びかつ前記第１方向まわりに相互に間隔を空けて配置されていると共に、前記第１方向に交差する第２方向でかつ前記コネクタ本体から離れる方向に弾性変形して前記被係止部に係止可能な複数の爪部を有し、
前記保持部材が、
前記被係止部に係止された状態の前記複数の爪部を保持する保持位置と、
前記保持位置に対して前記第１方向まわりに間隔を空けて配置されて前記複数の爪部に対する保持を解除すると共に、前記ねじ山部を前記ねじ溝部に嵌合可能な保持解除位置と
の間を回転可能に構成されている、コネクタ。
【請求項２】
前記コネクタ本体の前記第１方向における前記第１端部の反対側に配置された第２端部に設けられ、前記保持部材の回転に伴って前記コネクタ本体に対して前記第１方向まわりに回転可能な第１表示部材と、
前記第１表示部材を前記第１方向まわりに取り囲んで前記第１表示部材の一部を覆う筒状を有し、前記コネクタ本体に対して前記第１方向まわりに回転不可能に取り付けられた第２表示部材と
をさらに備え、
前記第１表示部材が、
第１本体部と、前記第１本体部の前記第２表示部材で覆われていない前記第２表示部材から露出した部分に設けられ、前記第２方向でかつ前記コネクタ本体から離れる方向に突出する表示突起とを有し、
前記第２表示部材が、
第２本体部と、前記第２本体部に設けられ、前記保持部材が前記保持解除位置または前記保持位置にあるときに前記表示突起と前記第１方向沿いに並んで、前記保持部材が前記保持解除位置または前記保持位置に位置していることを表示する表示部とを有する、請求項１のコネクタ。
【請求項３】
前記第１表示部材が、前記第１本体部の前記第２表示部材の前記第２本体部に対向する面に設けられ、前記第２方向でかつ前記第２表示部材から離れる方向に凹む凹部を有し、
前記表示部が、前記第２表示部材の前記第２本体部を前記第２方向に貫通しかつ前記保持部材が前記保持解除位置または前記保持位置にあるときに前記第２方向において前記凹部と重なるように配置された貫通孔を有し、
前記第１本体部の前記第２本体部に対向する面のうち、前記凹部を除く部分が、前記貫通孔を介して外部に露出することで、前記保持部材が前記保持位置または前記保持解除位置に位置していることが表示される、請求項２のコネクタ。
【請求項４】
前記第１表示部材が、前記第１本体部の前記第１方向における前記保持部材から遠い方の端部に設けられ、前記第１方向でかつ前記保持部材から離れる方向に突出して前記第１本体部と共に回転する接触部を有し、
前記第２表示部材が、前記第２本体部の前記第１表示部材に対向する内面に設けられ、前記第１方向でかつ前記保持部材に接近する方向に突出すると共に、前記接触部の回転経路上で前記接触部に接触可能に配置された被接触部を有し、
前記保持部材を前記保持位置と前記保持解除位置との間で回転させた場合に、前記接触部が前記被接触部に接触して前記被接触部を乗り越えることで、操作感が形成される、請求項２または３のコネクタ。
【請求項５】
前記第１方向における前記係止部材と前記第１表示部材との間に配置され、前記第１表示部材を前記第１方向でかつ前記第２端部に向かって付勢する弾性部材をさらに備える、請求項４のコネクタ。
【請求項６】
前記保持部材が、
前記第１方向まわりに配置され、前記保持解除位置において、前記係止部材の前記複数の爪部の各々をそれぞれ収容可能な複数の爪収容部を有している、請求項１から５のいずれか１つのコネクタ。
【請求項７】
前記複数の爪収容部の各々が、前記第２方向でかつ前記コネクタ本体から離れる方向への前記複数の爪部の弾性変形を許容する空間を形成している、請求項６のコネクタ。
【請求項８】
前記係止部材が、前記コネクタ本体を前記第１方向まわりに取り囲むリング状の本体部を有し、前記本体部に前記複数の爪部が設けられている、請求項１から７のいずれか１つのコネクタ。
【請求項９】
前記複数の爪部の各々が、前記第１方向でかつ前記本体部から遠い方の端部に設けられ、前記第２方向でかつ前記コネクタ本体に向かって延びて、前記接続部に前記第１の相手側コネクタが接続された接続状態で、前記被係止部に係止可能な突起部を有する、請求項８のコネクタ。
【請求項１０】
第１方向に沿って接続された相手側コネクタに対して係止保持可能なコネクタにおいて、
前記第１方向に沿って延びると共に、前記第１方向の第１端部に設けられて前記相手側コネクタと接続可能な接続部を有するコネクタ本体と、
前記コネクタ本体の前記第１端部の前記第１方向まわりに配置され、前記接続部に前記相手側コネクタが接続された接続状態で、前記第１方向において前記相手側コネクタの被係止部に係止可能な係止部材と、
前記係止部材の前記第１方向まわりに配置され、前記被係止部に係止された状態の前記係止部材を保持する保持位置と、前記保持位置に対して前記第１方向まわりに間隔を空けて配置されて前記係止部材に対する保持を解除する保持解除位置との間を前記コネクタ本体に対して前記第１方向まわりに回転可能な保持部材と
を備え、
前記係止部材が、
前記第１方向に延びかつ前記第１方向まわりに相互に間隔を空けて配置されていると共に、前記第１方向に交差する第２方向でかつ前記コネクタ本体から離れる方向に弾性変形可能な複数の爪部を有している、コネクタ。
【発明の詳細な説明】
【技術分野】
【０００１】
本開示は、コネクタに関する。
【背景技術】
【０００２】
特許文献１には、所定の方向に沿って相互に接続可能な第１コネクタおよび第２コネクタが開示されている。第１コネクタは、内部に係止部を有する凹部を備えている。また、第２コネクタは、第１コネクタの凹部に挿入可能な筒状を有し、その外周面に第１コネクタの係止部が係止可能な被係止部が設けられている。
【先行技術文献】
【特許文献】
【０００３】
【特許文献１】米国特許第７６９５３０２号
【発明の概要】
【発明が解決しようとする課題】
【０００４】
ところで、前記第１コネクタおよび前記第２コネクタは、いわゆるスナップフィット接続式のコネクタである。このようなスナップフィット接続式のコネクタには、通常、スナップフィット接続式のコネクタのみが接続保持可能になっているため、スナップフィット接続式のコネクタ以外のコネクタを接続保持することができず、利便性に欠ける場合がある。
【０００５】
本開示は、異なる接続式のコネクタに接続保持可能な利便性の高いコネクタを提供することを目的とする。
【課題を解決するための手段】
【０００６】
本開示の一例のコネクタは、
第１方向に沿って接続された第１の相手側コネクタに対して係止保持可能な、または、前記第１方向に沿って接続された第２の相手側コネクタに対して嵌合保持可能なコネクタにおいて、
前記第１方向に沿って延びると共に、前記第１方向の第１端部に設けられて前記第１の相手側コネクタおよび前記第２の相手側コネクタと接続可能な接続部を有するコネクタ本体と、
前記コネクタ本体の前記第１端部の前記第１方向まわりに配置され、前記接続部に前記第１の相手側コネクタが接続された接続状態で、前記第１の相手側コネクタの被係止部に前記第１方向において係止可能な係止部材と、
前記係止部材を前記第１方向まわりに取り囲む筒状を有し、その内面における前記第１方向でかつ前記第１端部に近い方の端部に、前記接続部に前記第２の相手側コネクタが接続された接続状態で前記第２の相手側コネクタのねじ山部に嵌合可能なねじ溝部が設けられていると共に、前記コネクタ本体に対して前記第１方向まわりに回転可能な保持部材と
を備え、
前記係止部材が、
前記第１方向に延びかつ前記第１方向まわりに相互に間隔を空けて配置されていると共に、前記第１方向に交差する第２方向でかつ前記コネクタ本体から離れる方向に弾性変形して前記被係止部に係止可能な複数の爪部を有し、
前記保持部材が、
前記被係止部に係止された状態の前記複数の爪部を保持する保持位置と、
前記保持位置に対して前記第１方向まわりに間隔を空けて配置されて前記複数の爪部に対する保持を解除すると共に、前記ねじ山部を前記ねじ溝部に嵌合可能な保持解除位置と
の間を回転可能に構成されている。
【発明の効果】
【０００７】
前記コネクタによれば、係止部材が、第１方向に延びかつ第１方向まわりに相互に間隔を空けて配置されていると共に、第１方向に交差する第２方向でかつコネクタ本体から離れる方向に弾性変形して、第１の相手側コネクタの被係止部に係止可能な複数の爪部を有している。また、保持部材が、第１の相手側コネクタの被係止部に係止された状態の複数の爪部を保持する保持位置と、保持位置に対して第１方向まわりに間隔を空けて配置されて複数の爪部に対する保持を解除すると共に、第２の相手側コネクタのねじ山部をねじ溝部に嵌合可能な保持解除位置との間を回転可能に構成されている。前記コネクタでは、複数の爪部により、スナップフィット接続式の第１の相手側コネクタに対して接続状態で係止保持でき、また、ねじ溝部により、ねじ接続式の第２の相手側コネクタに対して接続状態で嵌合保持できる。すなわち、相手側コネクタが、スナップフィット接続式のコネクタだけでなく、ねじ接続式のコネクタである場合であっても接続状態で保持可能な利便性の高いコネクタを実現できる。
【図面の簡単な説明】
【０００８】
【図１】本開示の一実施形態のコネクタの保持部材が保持解除位置に位置している状態を示す斜視図。
【図２】図１のコネクタを図１の矢印Ｃ方向から見た平面図。
【図３】図１のIII-III線に沿った断面図。
【図４】図１のコネクタの保持部材が保持位置に位置している状態を示す斜視図。
【図５】図４のコネクタを図１の矢印Ｃ方向から見た平面図。
【図６】図４のVI-VI線に沿った断面図。
【図７】図１のコネクタの係止部材を示す斜視図。
【図８】図１のコネクタの保持部材を示す斜視図。
【図９】図１のコネクタから保持部材を取り除いた状態を示す斜視図。
【図１０】図１のコネクタから保持部材および第１表示部材を取り除いた状態を示す斜視図。
【図１１】図１のコネクタの第２表示部材を図１の矢印Ｃ方向から見た平面図。
【図１２】図１のコネクタの保持部材を回転させたときの第１表示部材の接触部および第２表示部材の被接触部の位置関係を説明するための第１の図。
【図１３】図１のコネクタの保持部材を回転させたときの第１表示部材の接触部および第２表示部材の被接触部の位置関係を説明するための第２の図。
【発明を実施するための形態】
【０００９】
以下、本開示の一例を添付図面に従って説明する。なお、以下の説明では、必要に応じて特定の方向あるいは位置を示す用語（例えば、「上」、「下」、「右」、「左」を含む用語）を用いるが、それらの用語の使用は図面を参照した本開示の理解を容易にするためであって、それらの用語の意味によって本開示の技術的範囲が限定されるものではない。また、以下の説明は、本質的に例示に過ぎず、本開示、その適用物、あるいは、その用途を制限することを意図するものではない。さらに、図面は模式的なものであり、各寸法の比率等は現実のものとは必ずしも合致していない。
【００１０】
本開示の一実施形態のコネクタ１は、図１〜図６に示すように、いわゆるスナップフィット接続式の第１の相手側コネクタ２００（図６参照）と、いわゆるねじ接続式の第２の相手側コネクタ２１０（図３参照）とに対して、第１方向Ａに沿って選択的に接続保持可能に構成されている。すなわち、コネクタ１は、第１方向Ａに沿って接続された第１の相手側コネクタ２００に対して係止保持可能に構成され、第１方向Ａに沿って接続された第２の相手側コネクタ２１０に対して嵌合保持可能に構成されている。
【００１１】
図１に示すように、コネクタ１は、コネクタ本体１０と、このコネクタ本体１０の第１方向Ａまわりに配置された係止部材２０と、この係止部材２０の第１方向Ａまわりに配置された保持部材３０とを備えている。保持部材３０は、一例として、第１方向Ａに移動することなく、コネクタ本体１０に対して第１方向Ａまわりに回転可能に構成されている。なお、図１〜図３は、保持部材３０が保持解除位置Ｐ１にあるときのコネクタ１を示し、図４〜図６は、保持部材３０が保持位置Ｐ２にあるときのコネクタ１を示している。
【００１２】
コネクタ本体１０は、図１に示すように、一例として、略円筒形状を有し、雌型を構成している。このコネクタ本体１０は、第１方向Ａに沿って延びると共に、第１方向Ａの第１端部１０１に設けられて第１の相手側コネクタ２００および第２の相手側コネクタ２１０に接続可能な接続部１１を有している。また、コネクタ本体１０の第１方向Ａにおける第１端部１０１の反対側に配置された第２端部１０２には、内部に導体部材（図示せず）を有するケーブル２が接続されている。一例として、コネクタ本体１０とケーブル２とは一体成型されている。
【００１３】
接続部１１の内部には、第１方向Ａから各相手側コネクタ２００、２１０のプラグ端子２０１、２１１を挿抜可能な複数の端子収容部１２が設けられている。各端子収容部１２には、ケーブル２の導体部材に電気的に接続されたソケット端子１１１（図３および図６に示す）がそれぞれ収容されている。各ソケット端子１１１は、各相手側コネクタ２００、２１０が接続部１１に接続された接続状態において、端子収容部１２内で、各相手側コネクタ２００、２１０のプラグ端子２０１、２１１に対して接続可能に構成されている。なお、この実施形態では、一例として、４つの端子収容部１２が接続部１１に設けられている。
【００１４】
また、図３および図６に示すように、接続部１１の外周には、オーリング１６が設けられている。このオーリング１６は、各相手側コネクタ２００、２１０が接続部１１に接続された接続状態において、接続部１１と各相手側コネクタ２００、２１０との間を封止して、各端子収容部１２内への液体あるいは塵埃などの浸入を防止可能に構成されている。
【００１５】
係止部材２０は、図２示すように、コネクタ本体１０の第１端部１０１の第１方向Ａまわりに配置され、接続部１１に第１の相手側コネクタ２００が接続された接続状態で、第１の相手側コネクタ２００の被係止部２０２（図６参照）に第１方向Ａにおいて係止可能に構成されている。なお、図２には、第１方向Ａの第１端部１０１側から見た（すなわち、図１の矢印Ｃで示す方向から見た）コネクタ１を示している。
【００１６】
詳しくは、係止部材２０は、図７に示すように、環状の本体部２１と、本体部２１に設けられた複数の爪部２２とを有している。本体部２１は、コネクタ本体１０を第１方向Ａまわりに取り囲むようにコネクタ本体１０に配置されている（図３および図６参照）。この実施形態では、本体部２１は、一例として、第１方向Ａにおいて移動不可能でかつコネクタ１の中心線ＣＬまわりに回転不可能な状態でコネクタ本体１０に取り付けられている。各爪部２２は、本体部２１から第１方向Ａに延びかつ第１方向Ａまわりに相互に間隔を空けて配置されている。この実施形態では、一例として、コネクタ１の第１方向Ａに延びる中心線ＣＬまわりに等間隔で配置された３つの爪部２２が設けられている。
【００１７】
各爪部２２は、図２および図５に示すように、コネクタ本体１０の外面に沿って湾曲した円弧板状を有し、第１方向Ａに交差する第２方向（すなわち、第１方向Ａに延びるコネクタ１の中心線ＣＬに対する径方向）でかつコネクタ本体１０から離れる方向に弾性変形可能に構成されている（図３参照）。各爪部２２の先端部（すなわち、第１方向Ａでかつ本体部２１から遠い方の端部）には、第２方向でかつコネクタ本体１０に接近する方向に延びている突起部２３を有している。この実施形態では、突起部２３が第１の相手側コネクタ２００の被係止部２０２に引っ掛かることで、係止部材２０が第１の相手側コネクタ２００の被係止部２０２に第１方向Ａにおいて係止する。
【００１８】
保持部材３０は、図１に示すように、係止部材２０を第１方向Ａまわりに取り囲む筒形状を有している。この実施形態では、一例として、保持部材３０は、略円筒形状を有している。図８に示すように、保持部材３０は、ねじ溝部３１と、複数の爪収容部３２とが設けられている。
【００１９】
ねじ溝部３１は、第２方向においてコネクタ本体１０に対向する保持部材３０の内面における第１方向Ａでかつコネクタ本体１０の第１端部１０１側の端部に設けられている。この実施形態では、保持部材３０は、一例として、コネクタ１の中心線ＣＬまわりに等間隔で並んで配置された３つのねじ溝部３１を有している（図８には、２つのねじ溝部３１のみを示す）。各ねじ溝部３１は、第１方向Ａに沿って等間隔で配置された複数のねじ溝で構成されている（図３および図６参照）。
【００２０】
各爪収容部３２は、保持部材３０の第１方向Ａまわりでかつ各爪部２２に対向するように配置され、保持解除位置Ｐ１（図３参照）において、保持部材３０を第２方向Ｂに貫通しかつ係止部材２０の複数の爪部２２の各々をそれぞれ収容可能な貫通孔で構成されている。この実施形態では、一例として、３つの爪収容部３２が、コネクタ本体１０の中心線ＣＬまわりに等間隔で並んで配置されている。また、コネクタ１の中心線ＣＬまわりに隣接する２つの爪収容部３２の間にねじ溝部３１が配置されている。すなわち、各ねじ溝部３１および各爪収容部３２は、コネクタ本体１０の中心線ＣＬまわりを直列的に交互に並んで配置されている。
【００２１】
図１〜図６に示すように、保持解除位置Ｐ１と保持位置Ｐ２とは、コネクタ１の中心線ＣＬまわりに間隔を空けて配置されている。保持解除位置Ｐ１は、図３に示すように、保持部材３０による係止部材２０の各爪部２２に対する保持を解除して、各爪部２２が第２方向Ｂに移動可能な位置である。また、保持解除位置Ｐ１は、第２の相手側コネクタ２１０のねじ山部２１２を保持部材３０のねじ溝部３１に嵌合可能な位置である。保持位置Ｐ２は、図６に示すように、第１の相手側コネクタ２００の被係止部２０２に第１方向Ａにおいて係止した状態の係止部材２０の各爪部２２を保持して、各爪部２２の第２方向Ｂの移動を規制する位置である。
【００２２】
図３および図６に示すように、保持部材３０のコネクタ本体１０に対向する内面には、コネクタ１の中心線ＣＬに対する径方向の内側に延びる環状突起３４が設けられている。この環状突起３４は、第１方向Ａにおいて、係止部材２０と後述する第２表示部材５０との間でかつ係止部材２０の本体部２１に接触した状態で配置されて、コネクタ本体１０の第１方向Ａへの移動を規制している。
【００２３】
また、コネクタ１は、図９および図１０に示すように、コネクタ本体１０の第１方向Ａにおける第２端部１０２に設けられた第１表示部材４０および第２表示部材５０をさらに備えている。
【００２４】
第１表示部材４０は、コネクタ本体１０を第１方向Ａまわりに取り囲む筒状を有している。この第１表示部材４０は、保持部材３０の回転に伴ってコネクタ本体１０に対して第１方向Ａまわりに回転可能に構成されている。第２表示部材５０は、第１表示部材４０の第１方向Ａまわりに取り囲む筒状を有している。この第２表示部材５０は、第１表示部材４０の一部を覆うと共に、コネクタ本体１０に対して第１方向Ａまわりに回転不可能に取り付けられている。
【００２５】
図９に示すように、第１表示部材４０は、第１本体部４１と、第１本体部４１の第２表示部材５０で覆われていない第２表示部材５０から露出した部分に設けられて、第２方向でかつコネクタ本体１０から離れる方向に突出する表示突起４２とを有している。第１本体部４１は、一例として、略円筒形状を有している。表示突起４２は、図１および図４に示すように、保持部材３０の第２表示部材５０に対向する端部に設けられた切欠３３に、第１方向Ａに隙間を空けて配置されている。これにより、第１表示部材４０は、保持部材３０のコネクタ１の中心線ＣＬまわりの回転に連動して、コネクタ１の中心線ＣＬまわりに回転可能であると共に、切欠３３との間の隙間の範囲内で第１方向Ａに移動可能に構成されている。
【００２６】
図１０に示すように、第１本体部４１は、後述する第２表示部材５０の第２本体部５１に対向する面に設けられ、第２方向でかつ第２本体部５１から離れる方向に凹む凹部４３を有している。この実施形態では、凹部４３は、第２本体部５１を第２方向に貫通する貫通孔であり、コネクタ本体１０の外面１０３が凹部４３の底面を構成している。また、この実施形態では、第１本体部４１は、中心線ＣＬまわりに間隔を空けて配置された複数の凹部４３を有している。
【００２７】
また、第１表示部材４０は、図１０に示すように、第１本体部４１の第１方向Ａにおける保持部材３０から遠い方の端部４１２に設けられた接触部４４を有している。接触部４４は、第１本体部４１の端部４１２に設けられてコネクタ１の中心線ＣＬに対する周方向に延びる切欠４１３の底面の略中央に配置され、第１方向Ａでかつ保持部材３０から離れる方向に突出している。この接触部４４は、第１本体部４１と一体に設けられ、第１本体部と共に回転するように構成されている。この実施形態では、第１表示部材４０は、コネクタ１の中心線ＣＬまわりに等間隔に配置された３つの接触部４４を有している（図１０には、１つの接触部４４のみ示す）。接触部４４のコネクタ１の中心線ＣＬに対する周方向の両端には、この周方向における接触部４４の中心から離れるに従って、保持部材３０から離れるように傾斜する傾斜面４４１がそれぞれ設けられている。
【００２８】
図９に示すように、第２表示部材５０は、第２本体部５１と、第２本体部５１に設けられた表示部５２とを有している。第２本体部５１は、一例として、略円筒形状で、第１表示部材４０の第１本体部４１の外径よりも大きい内径を有し、コネクタ本体１０の第２端部１０２に固定されている。この実施形態では、第２本体部５１の外面は、第１方向Ａにおいて保持部材３０の外周面と略面一に形成されている。言い換えると、第２本体部５１は、保持部材３０と略同じコネクタ１の中心線ＣＬに対する外径を有し、保持部材３０の第１方向Ａへの移動を規制している。表示部５２は、保持部材３０が保持位置Ｐ２にあるときに第１表示部材４０の表示突起４２と第１方向Ａ沿いに並んで、保持部材３０が保持位置Ｐ２に位置していることを表示する。
【００２９】
詳しくは、表示部５２は、第１方向Ａにおいて表示突起４２の近くに配置された目印部５３と、第２本体部５１を第２方向に貫通する貫通孔５４とを有している。目印部５３は、一例として、略三角形状の凹部で構成されている。貫通孔５４は、略矩形状を有し、保持部材３０が保持解除位置Ｐ１に位置しているときに第２方向において凹部４３と重なるように配置されている（図１参照）。なお、保持部材３０が保持位置Ｐ２に位置しているときは、貫通孔５４を介して、第１表示部材４０の第１本体部４１の外面４１１（すなわち、第１本体部４１の第２本体部５１に対向する面のうち、凹部４３を除く部分）がコネクタ１の外部に露出する（図４参照）。このような構成により、保持部材３０が保持位置Ｐ２に位置しており係止部材２０の複数の爪部２２が保持部材３０に保持されていることが表示される。
【００３０】
例えば、第１本体部４１の外面４１１およびコネクタ本体１０の外面１０３の各々に対して、相互に異なる色をつけることで、保持部材３０が保持解除位置Ｐ１に位置しているのか、あるいは、保持位置Ｐ２に位置しているのかをより明確に表示することができる。
【００３１】
また、第２表示部材５０は、図１１に示すように、第２本体部５１の第１表示部材４０に対向する内面に設けられ、第１表示部材４０の接触部４４の回転経路４４２上で接触部４４に接触可能に配置されている被接触部５５を有している。なお、図１１には、第１方向Ａの保持部材３０側から見た（すなわち、図１の矢印Ｃで示す方向から見た）第２表示部材５０を示している。被接触部５５は、第２本体部５１の内面から径方向内側に延びる環状の板部材５１１の板面の一方に設けられ、第１方向Ａでかつ保持部材３０に接近する方向（すなわち、図１１における紙面貫通方向でかつ奥側から手前側に向かう方向）に突出している。
【００３２】
図３および図６に示すように、係止部材２０の本体部２１と第１表示部材４０との間には、弾性部材の一例のコイルばね１５が設けられている。このコイルばね１５は、第１方向Ａに伸縮可能に配置され、第１表示部材４０を第１方向Ａでかつコネクタ本体１０の第２端部１０２に向かって付勢している。
【００３３】
図１３および図１４に示すように、保持部材３０を保持解除位置Ｐ１と保持位置Ｐ２との間で回転させた場合、第１表示部材４０の接触部４４における被接触部５５に対向する傾斜面４４１が、第２表示部材５０の被接触部５５に押圧接触して、被接触部５５を乗り越える。保持部材３０および第１表示部材４０の回転荷重は、コイルばね１５の付勢力によって、接触部４４が被接触部５５を乗り越える前後で変化する。また、接触部４４が被接触部５５を乗り越えたときに、コイルばね１５の付勢力によって、接触部４４が第２表示部材５０の板部材５１１に衝突して衝突音が発生する。このような保持部材３０および第１表示部材４０の回転荷重の変化と、接触部４４が被接触部５５を乗り越えたときに発生する衝突音とにより、操作感（すなわち、クリック感）が形成される。形成された操作感により、保持部材３０が、保持解除位置Ｐ１から保持位置Ｐ２に回転したこと、あるいは、保持位置Ｐ２から保持解除位置Ｐ１に回転したことが報知される。
【００３４】
なお、コネクタ１の中心線ＣＬに対する周方向における第１表示部材４０の切欠４１３の両端によって、第２表示部材５０に対する第１表示部材４０の回転が規制されて、保持部材３０および第１表示部材４０の回転範囲が決定されている。
【００３５】
次に、コネクタ１を各相手側コネクタ２００、２１０に接続保持するときの動作について説明する。
【００３６】
相手側コネクタが、いわゆるスナップフィット接続式の第１の相手側コネクタ２００である場合、保持部材３０が保持解除位置Ｐ１に位置した状態（図１〜図３参照）で、係止部材２０の各爪部２２の突起部２３を第１の相手側コネクタ２００の被係止部２０２に係止させる（図４参照）。この状態で、保持部材３０を保持解除位置Ｐ１から保持位置Ｐ２まで回転させて、図４〜図６に示すように、各爪部２２の突起部２３の第２方向Ｂの移動を規制する。これにより、コネクタ１が、第１の相手側コネクタ２００に対して接続状態で係止保持される。なお、一般に、スナップフィット接続式のコネクタは、ねじ接続式のコネクタよりも相手側コネクタに対して容易に接続保持できる。
【００３７】
また、相手側コネクタが、いわゆるねじ接続式の第２の相手側コネクタ２１０である場合、保持部材３０が保持解除位置Ｐ１に位置した状態（図１〜図３参照）で、第２の相手側コネクタ２１０のねじ山部２１２を保持部材３０のねじ溝部３１に嵌合させる。これにより、コネクタ１が、第２の相手側コネクタ２１０に対して接続状態で嵌合保持される。なお、一般に、ねじ接続式のコネクタは、スナップフィット接続式のコネクタよりも相手側コネクタに対する接続状態を強固に保持できる。
【００３８】
このように、コネクタ１によれば、係止部材２０が、第１方向Ａに延びかつ第１方向Ａまわりに相互に間隔を空けて配置されていると共に、第１方向Ａに交差する第２方向でかつコネクタ本体１０から離れる方向に弾性変形して、第１の相手側コネクタ２００の被係止部２０２に係止可能な複数の爪部２２を有している。また、保持部材３０が、第１の相手側コネクタ２００の被係止部２０２に係止された状態の複数の爪部２２を保持する保持位置Ｐ２と、保持位置Ｐ２に対して第１方向Ａまわりに間隔を空けて配置されて複数の爪部２２に対する保持を解除すると共に、第２の相手側コネクタ２１０のねじ山部２１２をねじ溝部３１に嵌合可能な保持解除位置Ｐ１との間を回転可能に構成されている。すなわち、コネクタ１では、複数の爪部２２により、スナップフィット接続式の第１の相手側コネクタ２００に対して接続状態で係止保持でき、また、ねじ溝部３１により、ねじ接続式の第２の相手側コネクタ２１０に対して接続状態で嵌合保持できる。すなわち、相手側コネクタが、スナップフィット接続式のコネクタだけでなく、ねじ接続式のコネクタである場合であっても接続状態で保持可能な利便性の高いコネクタ１を実現できる。
【００３９】
また、コネクタ１が、コネクタ本体１０の第１方向Ａにおける第１端部１０１の反対側に配置された第２端部１０２に設けられ、保持部材３０の回転に伴ってコネクタ本体１０に対して第１方向Ａまわりに回転可能な第１表示部材４０と、第１表示部材４０を第１方向Ａまわりに取り囲んで第１表示部材４０の一部を覆う筒状を有し、コネクタ本体１０に対して第１方向Ａまわりに回転不可能に取り付けられた第２表示部材５０とをさらに備える。第１表示部材４０が、第１本体部４１と、第１本体部４１の第２表示部材５０で覆われていない第２表示部材５０から露出した部分に設けられ、第２方向でかつコネクタ本体１０から離れる方向に突出する表示突起４２とを有する。また、第２表示部材５０が、第２本体部５１と、第２本体部５１に設けられ、保持部材３０が保持位置Ｐ２にあるときに表示突起４２と第１方向Ａ沿いに並んで保持部材３０が保持位置Ｐ２に位置していることを表示する表示部５２とを有する。このような構成により、保持部材３０が、保持解除位置Ｐ１に位置しているのか、あるいは、保持位置Ｐ２に位置しているのかを表示することができる。その結果、より利便性の高いコネクタ１を実現できる。
【００４０】
また、第１表示部材４０が、第１本体部４１の第２表示部材５０の第２本体部５１に対向する面に設けられ、第２方向でかつ第２表示部材５０から離れる方向に凹む凹部４３を有する。表示部５２が、第２表示部材５０の第２本体部５１を第２方向に貫通しかつ保持部材３０が保持解除位置Ｐ１にあるときに第２方向において凹部４３と重なるように配置された貫通孔５４を有する。第１本体部４１の第２本体部５１に対向する面のうち、凹部４３を除く部分が貫通孔５４を介して外部に露出することで、保持部材３０が保持位置Ｐ２に位置していることが表示される。このような構成により、保持部材３０が、保持解除位置Ｐ１に位置しているのか、あるいは、保持位置Ｐ２に位置しているのかをより明確に表示することができる。その結果、より利便性の高いコネクタ１を実現できる。
【００４１】
また、第１表示部材４０が、第１本体部４１の第１方向Ａにおける保持部材３０から遠い方の端部に設けられ、第１方向Ａでかつ保持部材３０から離れる方向に突出して第１本体部４１と共に回転する接触部４４を有する。第２表示部材５０が、第２本体部５１の第１表示部材４０に対向する内面に設けられ、第１方向Ａでかつ保持部材３０に接近する方向に突出すると共に、接触部４４の回転経路４４２上で接触部４４に接触可能に配置された被接触部５５を有する。保持部材３０を保持位置Ｐ２と保持解除位置Ｐ１との間で回転させた場合に、接触部４４が被接触部５５に接触して被接触部５５を乗り越えることで、操作感が形成される。このような構成により、保持部材３０が保持解除位置Ｐ１から保持位置Ｐ２に回転したこと、あるいは、保持位置Ｐ２から保持解除位置Ｐ１に回転したことをより確実に報知することができる。その結果、さらに利便性の高いコネクタ１を実現できる。
【００４２】
また、第１方向Ａにおける係止部材２０と第１表示部材４０との間に配置され、第１表示部材４０を第１方向Ａでかつコネクタ本体１０の第２端部１０２に向かって付勢するコイルばね１５をさらに備える。このような構成により、保持部材３０を保持位置Ｐ２と保持解除位置Ｐ１との間で回転させた場合に、操作感を確実に形成することができる。
【００４３】
また、保持部材３０が、第１方向Ａまわりに配置され、保持解除位置Ｐ１において、係止部材２０の複数の爪部２２の各々をそれぞれ収容可能な複数の爪収容部３２を有している。このような構成により、コネクタ１をその径方向において小型化しつつ、利便性の高いコネクタ１を実現できる。
【００４４】
また、各爪収容部３２が、保持部材３０を第２方向に貫通する貫通孔で構成されている。これにより、簡単な構成で、コネクタ１を第２方向において小型化しつつ、利便性の高いコネクタ１を実現できる。
【００４５】
また、係止部材２０が、コネクタ本体１０を第１方向Ａまわりに取り囲むリング状の本体部２１を有し、本体部２１に複数の爪部２２が設けられている。これにより、簡単な構成で、利便性の高いコネクタ１を実現できる。
【００４６】
また、各爪部２２が、第１方向Ａでかつ第１端部１０１に近い方の端部に設けられ、第２方向でかつコネクタ本体１０に向かって延びて、接続部１１に第１の相手側コネクタ２００が接続された接続状態で、被係止部２０２に係止可能な突起部２３を有している。これにより、簡単な構成で、被係止部２０２の形状などが異なる複数種類の第１の相手側コネクタ２００に対してコネクタ１を接続状態で係止保持できる。
【００４７】
なお、コネクタ１では、相手側コネクタが、スナップフィット接続式の第１の相手側コネクタ２００だけでなく、ねじ接続式の第２の相手側コネクタ２１０である場合であっても接続状態で保持可能に構成されているが、これに限らない。コネクタ１は、少なくとも、スナップフィット接続式のコネクタである第１の相手側コネクタ２００に対して係止保持可能であればよく、例えば、保持部材３０のねじ溝部３１は省略することができる。このようなコネクタ１によれば、複数の爪部２２により、被係止部２０２の形状などが異なる複数種類のスナップフィット接続式の第１の相手側コネクタ２００に対してコネクタ１を接続状態で係止保持できるので、利便性の高いコネクタ１を実現できる。
【００４８】
各爪収容部３２は、第２方向でかつコネクタ本体１０から離れる方向への複数の爪部２２の弾性変形を許容する空間を形成していればよく、保持部材３０を第２方向に貫通する貫通孔で構成されている場合に限らない。例えば、第２方向においてコネクタ本体１０に対向する保持部材３０の内面に設けられた凹部で構成してもよい。このように、各爪収容部３２を凹部で構成することで、各爪収容部３２を貫通孔で構成した場合と比較して、防水効果を高めることができる。
【００４９】
係止部材２０は、第１方向Ａに延びかつ第１方向Ａまわりに相互に間隔を空けて配置されていると共に、第１方向Ａに交差する第２方向でかつコネクタ本体１０から離れる方向に弾性変形可能な複数の爪部２２を有していればよい。例えば、リング状の本体部２１を省略して、各爪部２２をコネクタ本体１０に直接取り付けてもよい。
【００５０】
各爪部２２は、接続部１１に第１の相手側コネクタ２００が接続された接続状態で、第１方向Ａにおいて第１の相手側コネクタ２００の被係止部２０２に係止可能であればよい。例えば、各爪部２２の突起部２３は、コネクタ１の設計などに応じて、任意の形状および大きさを採用できる。
【００５１】
弾性部は、コイルばね１５に限らず、第１表示部材４０を第１方向Ａでかつコネクタ本体１０の第２端部１０２に向かって付勢可能な任意の構成を採用できる。また、コイルばね１５は、省略してもよい。
【００５２】
表示部５２は、保持部材３０が保持位置Ｐ２にあるときに、表示突起４２と第１方向Ａ沿いに並ぶ場合に限らず、保持部材３０が保持解除位置Ｐ１にあるときに表示突起４２と第１方向沿いＡに並ぶように構成してもよい。
【００５３】
また、表示部５２は、略三角形状の目印部５３と略矩形状の貫通孔５４とで構成する場合に限らない。例えば、貫通孔５４を略三角形状に形成して、貫通孔５４が目印部５３を兼ねるように構成してもよい。すなわち、表示部５２の構成は、コネクタ１の設計などに応じて、適宜変更できる。
【００５４】
貫通孔５４は、保持部材３０が保持解除位置Ｐ１にあるときに第２方向において凹部４３と重なるように配置される場合に限らず、保持部材３０が保持位置Ｐ２にあるときに第２方向において凹部４３と重なるように配置されるように構成してもよい。
【００５５】
第１表示部材４０および第２表示部材５０は、省略することができる。すなわち、コネクタ本体１０と、係止部材２０と、保持部材３０とで、コネクタ１を構成してもよい。
【００５６】
以上、図面を参照して本開示における種々の実施形態を詳細に説明したが、最後に、本開示の種々の態様について説明する。なお、以下の説明では、一例として、参照符号も添えて記載する。
【００５７】
本開示の第１態様のコネクタ１は、
第１方向Ａに沿って接続された第１の相手側コネクタ２００に対して係止保持可能な、または、前記第１方向Ａに沿って接続された第２の相手側コネクタ２１０に対して嵌合保持可能なコネクタ１において、
前記第１方向Ａに沿って延びると共に、前記第１方向Ａの第１端部１０１に設けられ前記第１の相手側コネクタ２００および前記第２の相手側コネクタ２１０と接続可能な接続部１１を有するコネクタ本体１０と、
前記コネクタ本体１０の前記第１端部１０１の前記第１方向Ａまわりに配置され、前記接続部１１に前記第１の相手側コネクタ２００が接続された接続状態で、前記第１方向Ａにおいて前記第１の相手側コネクタ２００の被係止部２０２に係止可能な係止部材２０と、
前記係止部材２０を前記第１方向Ａまわりに取り囲む筒状を有し、その内面における前記第１方向Ａでかつ前記第１端部１０１に近い方の端部に設けられ、前記接続部１１に前記第２の相手側コネクタ２１０が接続された接続状態で、前記第２の相手側コネクタ２１０のねじ山部２１２に嵌合可能なねじ溝部３１を有し、前記コネクタ本体１０に対して前記第１方向Ａまわりに回転可能な保持部材３０と
を備え、
前記係止部材２０が、
前記第１方向Ａに延びかつ前記第１方向Ａまわりに相互に間隔を空けて配置されていると共に、前記第１方向Ａに交差する第２方向Ｂでかつ前記コネクタ本体１０から離れる方向に弾性変形して前記被係止部２０２に係止可能な複数の爪部２２を有し、
前記保持部材３０が、
前記被係止部２０２に係止された状態の前記複数の爪部２２を保持する保持位置Ｐ２と、
前記保持位置Ｐ２に対して前記第１方向Ａまわりに間隔を空けて配置されて前記複数の爪部２２に対する保持を解除すると共に、前記ねじ山部２１２を前記ねじ溝部３１に嵌合可能な保持解除位置Ｐ１と
の間を回転可能に構成されている。
【００５８】
第１態様のコネクタ１によれば、複数の爪部２２により、スナップフィット接続式の第１の相手側コネクタ２００に対して接続状態で係止保持でき、また、ねじ溝部３１により、ねじ接続式の第２の相手側コネクタ２１０に対して接続状態で嵌合保持できる。すなわち、相手側コネクタが、スナップフィット接続式のコネクタだけでなく、ねじ接続式のコネクタである場合であっても接続状態で保持可能な利便性の高いコネクタ１を実現できる。
【００５９】
本開示の第２態様のコネクタ１は、
前記コネクタ本体１０の前記第１方向Ａにおける前記第１端部１０１の反対側に配置された第２端部１０２に設けられ、前記保持部材３０の回転に伴って前記コネクタ本体１０に対して前記第１方向Ａまわりに回転可能な第１表示部材４０と、
前記第１表示部材４０を前記第１方向Ａまわりに取り囲んで前記第１表示部材４０の一部を覆う筒状を有し、前記コネクタ本体１０に対して前記第１方向Ａまわりに回転不可能に取り付けられた第２表示部材５０と
をさらに備え、
前記第１表示部材４０が、
第１本体部４１と、前記第１本体部４１の前記第２表示部材５０で覆われていない前記第２表示部材５０から露出した部分に設けられ、前記第２方向でかつ前記コネクタ本体１０から離れる方向に突出する表示突起４２とを有し、
前記第２表示部材５０が、
第２本体部５１と、前記第２本体部５１に設けられ、前記保持部材３０が前記保持解除位置Ｐ１または前記保持位置Ｐ２にあるときに前記表示突起４２と前記第１方向Ａ沿いに並んで、前記保持部材３０が前記保持解除位置Ｐ１または前記保持位置Ｐ２に位置していることを表示する表示部５２とを有する。
【００６０】
第２態様のコネクタ１によれば、保持部材３０が、保持解除位置Ｐ１に位置しているのか、あるいは、保持位置Ｐ２に位置しているのかを表示することができる。その結果、より利便性の高いコネクタ１を実現できる。
【００６１】
本開示の第３態様のコネクタ１は、
前記第１表示部材４０が、前記第１本体部４１の前記第２表示部材５０の前記第２本体部５１に対向する面に設けられ、前記第２方向でかつ前記第２表示部材５０から離れる方向に凹む凹部４３を有し、
前記表示部５２が、前記第２表示部材５０の前記第２本体部５１を前記第２方向に貫通しかつ前記保持部材３０が前記保持解除位置Ｐ１または前記保持位置Ｐ２にあるときに前記第２方向において前記凹部４３と重なるように配置された貫通孔５４を有し、
前記第１本体部４１の前記第２本体部５１に対向する面のうち、前記凹部４３を除く部分が、前記貫通孔５４を介して外部に露出することで、前記保持部材３０が前記保持位置Ｐ２または前記保持解除位置Ｐ１に位置していることが表示される。
【００６２】
第３態様のコネクタ１によれば、保持部材３０が、保持解除位置Ｐ１に位置しているのか、あるいは、保持位置Ｐ２に位置しているのかをより明確に表示することができる。その結果、より利便性の高いコネクタ１を実現できる。
【００６３】
本開示の第４態様のコネクタ１は、
前記第１表示部材４０が、前記第１本体部４１の前記第１方向Ａにおける前記保持部材３０から遠い方の端部４１２に設けられ、前記第１方向Ａでかつ前記保持部材３０から離れる方向に突出して前記第１本体部４１と共に回転する接触部４４を有し、
前記第２表示部材５０が、前記第２本体部５１の前記第１表示部材４０に対向する内面に設けられ、前記第１方向Ａでかつ前記保持部材３０に接近する方向に突出すると共に、前記接触部４４の回転経路４４２上で前記接触部４４に接触可能に配置された被接触部５５を有し、
前記保持部材３０を前記保持位置Ｐ２と前記保持解除位置Ｐ１との間で回転させた場合に、前記接触部４４が前記被接触部５５に接触して前記被接触部５５を乗り越えることで、操作感が形成される。
【００６４】
第４態様のコネクタ１によれば、保持部材３０が保持解除位置Ｐ１から保持位置Ｐ２に回転したこと、あるいは、保持位置Ｐ２から保持解除位置Ｐ１に回転したことをより確実に報知することができる。その結果、さらに利便性の高いコネクタ１を実現できる。
【００６５】
本開示の第５態様のコネクタ１は、
前記第１方向Ａにおける前記係止部材２０と前記第１表示部材４０との間に配置され、前記第１表示部材４０を前記第１方向Ａでかつ前記第２端部１０２に向かって付勢する弾性部材１５をさらに備える。
【００６６】
第５態様のコネクタ１によれば、保持部材３０を保持位置Ｐ２と保持解除位置Ｐ１との間で回転させた場合に、操作感を確実に形成することができる。
【００６７】
本開示の第６態様のコネクタ１は、
前記保持部材３０が、
前記第１方向Ａまわりに配置され、前記保持解除位置Ｐ１において、前記係止部材２０の前記複数の爪部２２の各々をそれぞれ収容可能な複数の爪収容部３２を有している。
【００６８】
第６態様のコネクタ１によれば、コネクタ１をその径方向において小型化しつつ、利便性の高いコネクタ１を実現できる。
【００６９】
本開示の第７態様のコネクタ１は、
前記複数の爪収容部３２の各々が、前記第２方向でかつ前記コネクタ本体１０から離れる方向への前記複数の爪部２２の弾性変形を許容する空間を形成している。
【００７０】
第７態様のコネクタ１によれば、簡単な構成で、コネクタ１を第２方向において小型化しつつ、利便性の高いコネクタ１を実現できる。
【００７１】
本開示の第８態様のコネクタ１は、
前記係止部材２０が、前記コネクタ本体１０を前記第１方向Ａまわりに取り囲むリング状の本体部２１を有し、前記本体部２１に前記複数の爪部２２が設けられている。
【００７２】
第８態様のコネクタ１によれば、簡単な構成で、利便性の高いコネクタ１を実現できる。
【００７３】
本開示の第９態様のコネクタ１は、
前記複数の爪部２２の各々が、前記第１方向Ａでかつ前記本体部２１から遠い方の端部に設けられ、前記第２方向でかつ前記コネクタ本体１０に向かって延びて、前記接続部１１に前記第１の相手側コネクタ２００が接続された接続状態で、前記被係止部２０２に係止可能な突起部２３を有する。
【００７４】
第９態様のコネクタ１によれば、簡単な構成で、被係止部２０２の形状などが異なる複数種類の第１の相手側コネクタ２００に対してコネクタ１を接続状態で係止保持できる。
【００７５】
本開示の第１０態様のコネクタ１は、
第１方向Ａに沿って接続された相手側コネクタ２００に対して係止保持可能なコネクタ１において、
前記第１方向Ａに沿って延びると共に、前記第１方向Ａの第１端部１０１に設けられて前記相手側コネクタと接続可能な接続部１１を有するコネクタ本体１０と、
前記コネクタ本体１０の前記第１端部１０１の前記第１方向Ａまわりに配置され、前記接続部１１に前記相手側コネクタ２００が接続された接続状態で、前記第１方向Ａにおいて前記相手側コネクタ２００の被係止部２０２に係止可能な係止部材２０と、
前記係止部材２０の前記第１方向Ａまわりに配置され、前記被係止部２０２に係止された状態の前記係止部材２０を保持する保持位置Ｐ２と、前記保持位置Ｐ２に対して前記第１方向Ａまわりに間隔を空けて配置されて前記係止部材２０に対する保持を解除する保持解除位置Ｐ１との間を前記コネクタ本体１０に対して前記第１方向Ａまわりに回転可能な保持部材３０と
を備え、
前記係止部材２０が、
前記第１方向Ａに延びかつ前記第１方向Ａまわりに相互に間隔を空けて配置されていると共に、前記第１方向Ａに交差する第２方向でかつ前記コネクタ本体１０から離れる方向に弾性変形可能な複数の爪部２２を有している。
【００７６】
第１０態様のコネクタ１によれば、複数の爪部２２により、被係止部２０２の形状などが異なる複数種類の相手側コネクタ２００に対してコネクタ１を接続状態で係止保持できるので、利便性の高いコネクタ１を実現できる。
【００７７】
なお、前記様々な実施形態または変形例のうちの任意の実施形態または変形例を適宜組み合わせることにより、それぞれの有する効果を奏するようにすることができる。また、実施形態同士の組み合わせまたは実施例同士の組み合わせまたは実施形態と実施例との組み合わせが可能であると共に、異なる実施形態または実施例の中の特徴同士の組み合わせも可能である。
【産業上の利用可能性】
【００７８】
本開示のコネクタは、例えば、自動車用工作機械に適用できる。
【符号の説明】
【００７９】
１  コネクタ
２  ケーブル
１０  コネクタ本体
１０１  第１端部
１０２  第２端部
１０３  外面
１１  接続部
１１１  ソケット端子
１２  端子収容部
１５  コイルばね
１６  オーリング
２０  係止部材
２１  本体部
２２  爪部
２３  突起部
３０  保持部材
３１  ねじ溝部
３２  爪収容部
３３  切欠
３４  環状突起
４０  第１表示部材
４１  第１本体部
４１１  外面
４１２  端部
４１３  切欠
４２  表示突起
４３  凹部
４４  接触部
４４１  傾斜面
４４２  回転経路
５０  第２表示部材
５１  第２本体部
５１１  板部材
５２  表示部
５３  目印部
５４  貫通孔
５５  被接触部
２００  第１の相手側コネクタ
２０１  プラグ端子
２０２  被係止部
２１０  第２の相手側コネクタ
２１１  プラグ端子
２１２  ねじ山部
Ｐ１  保持解除位置
Ｐ２  保持位置
ＣＬ  中心線
【図１】
2020149783.tif 000003
【図２】
2020149783.tif 000004
【図３】
2020149783.tif 000005
【図４】
2020149783.tif 000006
【図５】
2020149783.tif 000007
【図６】
2020149783.tif 000008
【図７】
2020149783.tif 000009
【図８】
2020149783.tif 000010
【図９】
2020149783.tif 000011
【図１０】
2020149783.tif 000012
【図１１】
2020149783.tif 000013
【図１２】
2020149783.tif 000014
【図１３】
2020149783.tif 000015